(57)【要約】【課題】  情報流通者のサーバ装置において、ユーザが情報を要求してきたときに、プロバイダからユーザ情報を受信し、前記情報にアクセスするための条件と照合して、前記ユーザが情報にアクセスできるかどうかを判断する。【解決手段】  情報流通者のサーバ装置において、プロバイダからアクセスキー発行依頼データを受信した際に、アクセスキー発行条件を取得するアクセスキー発行条件取得手段と、前記アクセスキー発行依頼データを前記アクセスキー発行条件と照合するアクセスキー発行条件照合手段と、適合した場合にアクセスキーを発行することを指示するアクセスキー発行指示手段とを備えることを特徴とする、情報流通者のサーバ装置。【選択図】図１
2006039717.tif 000002
【特許請求の範囲】
【請求項１】
情報を要求するユーザ端末と、ユーザの認証を行なうと共に課金と情報の仲介を行なうプロバイダのサーバ装置と、前記情報を送信する情報流通者のサーバ装置とを備えた情報流通システムであって、前記情報の要求を受信した前記プロバイダのサーバ装置から送信されたアクセスキー発行依頼データにより、それぞれ異なるアクセスキーを含むＵＲＬ情報を生成するアクセスキー生成装置を備えた情報流通者のサーバ装置において、
前記アクセスキー発行依頼データを受信した際に、記憶されたアクセスキー発行条件を取得するアクセスキー発行条件取得手段と、
前記アクセスキー発行依頼データを前記アクセスキー発行条件と照合するアクセスキー発行条件照合手段と、
適合した場合にアクセスキーを発行することを指示するアクセスキー発行指示手段と、を備えることを特徴とする、情報流通者のサーバ装置。
【請求項２】
前記アクセスキー発行条件を保持する情報記憶手段を備えることを特徴とする、請求項１記載の情報流通者のサーバ装置。
【請求項３】
前記アクセスキー発行条件をプロバイダ別又は情報別に設定し、又は更新するアクセスキー発行条件設定手段を備えることを特徴とする、前記記載の情報流通者のサーバ装置。
【請求項４】
記憶された前記アクセスキー発行条件を取得して、前記アクセスキー発行依頼データを前記アクセスキー発行条件と照合する際に、複数のアクセスキー発行条件に優先順位をつけるアクセスキー発行条件順位付け手段を備えることを特徴とする、前記情報流通者のサーバ装置。
【請求項５】
情報を要求するユーザ端末と、ユーザの認証を行なうと共に課金と情報の仲介を行なうプロバイダのサーバ装置と、前記情報を送信する情報流通者のサーバ装置とを備えた情報流通システムであって、前記情報の要求を受信した前記プロバイダのサーバ装置から送信されたアクセスキー発行依頼データにより、それぞれ異なるアクセスキーを含むＵＲＬ情報を生成するアクセスキー生成装置を備えた情報流通者のサーバ装置を利用して前記ユーザ端末が情報を取得する情報流通方法において、
前記アクセスキー発行依頼データを受信した際に、記憶されたアクセスキー発行条件を取得するステップと、
前記アクセスキー発行依頼データを前記アクセスキー発行条件と照合するステップと、
前記照合するステップにおいて適合した場合にアクセスキーを発行することを指示するステップと、
を有することを特徴とする情報流通方法。
【発明の詳細な説明】
【技術分野】
【０００１】
本発明は、コンピュータシステムを用いたネットワーク上での情報流通におけるアクセス許可の方法、システム、及びプログラムに関するものである。
【背景技術】
【０００２】
特許文献１によると、情報提供者とプロバイダとの間に新たに情報流通者を介在させ、前記情報流通者を介して前記情報提供者から提供された情報をユーザに提供することにより、前記情報提供者は自分の情報を単に前記情報流通者に提供するだけでプロバイダの会員ユーザ全てを対象として前記情報を送信できることとなり、かつプロバイダが有する課金、請求等の代金決済方法を利用することができるという情報流通方法が提案されている。前記情報提供者とは、ユーザにコンテンツを提供するコンテンツプロバイダのことをいう。
【０００３】
前記方法を用いることにより、ユーザにとっては情報要求時における入力作業を軽減し、かつネットワーク上における情報の安全性を高めることが可能となる。
【０００４】
更に、前記情報流通者にとってもユーザ管理業務や課金処理、請求、及び回収等の代金決済業務において過度の負担をかけることなく、またユーザ認証や決済に関わる情報の安全性を確保し、不正アクセス等による情報の流出やそれに伴う販売機会の損失を防止し、低コストのネットワーク構成により実現可能である情報の流通方法、情報流通システム、サーバ、及びそのプログラムを記録した記録媒体を提供することが可能である。
【０００５】
特許文献１により提案される情報流通方法において、情報流通者のサーバは情報要求情報に基づき認証処理するところの情報の流通システムのサーバである。情報要求情報とは、ユーザがコンテンツを要求したときに情報流通者のサーバが受け取る情報のことである。ユーザに対してアクセス許可情報を予め付与しておき、前記ユーザからの情報要求を受けたときに、予め前記ユーザと関連付けて記憶したアクセス許可情報とを比較して前記ユーザがアクセス許可されていると判別したときは、前記情報要求に対応する情報を提供する。
【０００６】
前記情報流通者のサーバは、情報提供者から提供された情報を記憶しておき、決済手段及び情報提供手段を有するプロバイダを通じてユーザからアクセス許可の要求を受けたとき、アクセス許可情報を生成して前記ユーザに提供するとともに、前記ユーザ又は前記プロバイダと関連付けて前記アクセス許可情報を記憶し、前記ユーザからアクセス許可情報に基づく情報要求情報を受けたとき、前記情報要求情報に含まれるアクセス許可情報と記憶されたアクセス許可情報とを比較して、前記ユーザがアクセス許可されていると判別した場合には、前記情報要求情報に対応する情報を提供する。
【０００７】
前記アクセス許可情報には、プロバイダに関する情報、ユーザを特定するためのユーザ識別情報、情報を特定するためのコンテンツ識別情報、前記アクセス許可情報が生成された日時に関する情報が含まれている。ユーザから前記アクセス許可情報に基づく情報要求情報を受けたとき、前記情報要求情報に含まれるアクセス許可情報から前記アクセス許可情報が生成された日時に関する情報を取得し、この日時に関する情報に基づいて情報提供の可否を判別することが可能である。本発明において、アクセス許可情報に基づきユーザに付与される情報をアクセスキーという。アクセスキーは、ユーザが要求した情報にアクセスする際の照合に用いられる。
【０００８】
前記方法によれば、不正アクセス等による情報の流出やそれに伴う販売機械の損失を防止することができ、情報の経済的価値を適切に維持することが可能となる。
【特許文献１】特許第３４２８９７９号公報
【発明の開示】
【発明が解決しようとする課題】
【０００９】
情報提供者とプロバイダの間に情報流通者を介在させ、前記情報流通者を介して情報提供者から提供された情報をユーザに提供することにより、前記情報提供者は自分の情報を単に前記情報流通者に提供するだけでプロバイダの会員ユーザ全てを対象として前記情報を送信することができ、かつプロバイダが有する課金、請求等の代金決済方法を利用することができるという情報流通方法は、公知である。
【００１０】
前記情報流通方法では、ユーザに対して予めアクセス許可情報を付与しておき、前記ユーザから要求を受けたときに、予めユーザと関連付けて記憶したアクセス許可情報と前記要求に含まれるアクセス許可情報とを比較してアクセス許可の可否を判別する。
【００１１】
この方法に、情報を提供する際に、ユーザに対し一律に条件付けるだけでなく、前記情報を得るためにユーザが満たすべき条件を、コンテンツ別又はプロバイダ別等個別に付与し、ユーザが前記条件を満たしているかどうか判別し、プロバイダを介してユーザに情報を提供するかどうかを判断し、前記条件を満たしているユーザに対してアクセスを許可するという機能を組み合わせると、より効果的な利用が可能となり、キャンペーン等情報を提供する形態の幅が広がる。
【課題を解決するための手段】
【００１２】
ユーザが情報を選択して要求するユーザ端末と、ユーザ認証するプロバイダのサーバ装置と、前記情報を保持する前記情報流通者のサーバ装置とを備えた情報流通システムであって、ユーザ端末から送信された情報要求を受信した前記プロバイダのサーバ装置から送信されたアクセスキー発行依頼データにより、それぞれ異なるアクセスキーを含むＵＲＬ情報を生成するアクセスキー生成装置を備えた情報流通者のサーバ装置において、前記アクセスキー発行依頼データを受信した際に、アクセスキー発行条件を取得するアクセスキー発行条件取得手段と、前記アクセスキー発行依頼データを前記アクセスキー発行条件と照合するアクセスキー発行条件照合手段と、適合した場合にアクセスキーを発行することを指示するアクセスキー発行指示手段とを備えることを特徴とする、情報流通者のサーバ装置。
【発明の効果】
【００１３】
本発明によれば、ユーザが特定の情報にアクセスできるかどうかを条件付けることが可能となる。すなわち、特定の情報を入手するためには特定の条件を要する情報に、ユーザがアクセスしようとする場合、ユーザ端末から送信された情報要求に基づいてプロバイダのサーバ装置がアクセスキー発行要求を行なった際に、前記特定の条件を満たしているかどうかを判別し、前記特定の条件を満たしている場合にアクセスキーを発行し、満たしていなければアクセスキーを発行しないということが可能となる。本発明を利用することで、特定のユーザに対して有償又は無償で情報を提供することが可能となる。たとえば特定の条件を満たしたユーザに対し、ボーナスコンテンツを提供したり、本来は有償である情報を無償で提供することも可能となる。
【発明を実施するための最良の形態】
【００１４】
以下、本発明を実施するための一実施形態について、図面を参照して詳述する。本発明におけるプロバイダとは、インターネットサービスプロバイダのことであり、以後ＩＳＰという。また、ユーザ端末とは、一般的に利用されている、ネットワークを介して情報通信を行うことが可能であるパーソナルコンピュータや携帯情報通信端末のことをいう。
【００１５】
まず、本発明における情報流通者のサーバ装置の一例を、図１を中心に図５を交えて説明する。情報流通者のサーバ装置１は単数又は複数のＩＳＰのサーバ装置２と接続している。
情報流通者のサーバ装置１は、アクセスキー発行依頼データ取得手段１０１、アクセスキー発行条件取得手段１０５、ユーザ・ＩＳＰ照合手段１０３と情報取得条件照合手段１０４とを備えるアクセスキー発行条件照合手段１０２、アクセスキー発行指示手段１０９、アクセスキー発行手段１１０、ユーザデータベース１０７、及び情報取得条件データベース１０８を備える。情報流通者のサーバ装置１はその他、例えば図５に示すようにアクセスキー発行条件記憶手段１０６、アクセスキー発行条件設定手段１１１、アクセスキー発行条件順位付け手段１１２のいずれか又は全てを備えていても構わない。
【００１６】
アクセスキー発行依頼データ取得手段１０１は、ユーザ端末３から送信された情報要求に基づいてＩＳＰのサーバ装置２が送信したアクセスキー発行依頼データを取得する。アクセスキー発行条件取得手段１０５は、アクセスキー発行条件を取得し、アクセスキー発行条件照合手段１０２に送信する。アクセスキー発行条件照合手段１０２はユーザ・ＩＳＰ照合手段１０３と情報取得条件照合手段１０４とを備え、アクセスキー発行依頼データ取得手段１０１により取得したアクセスキー発行依頼データを、ユーザデータベース１０７から取得したユーザデータ、及び情報取得条件データベース１０８又は外部から取得した情報取得条件と照合する。アクセスキー発行指示手段１０９は、アクセスキー発行依頼データがアクセスキー発行条件と適合した場合、アクセスキー発行手段１１０にアクセスキーを発行するよう指示する。アクセスキー発行手段１１０はアクセスキー発行指示手段１０９からアクセスキーを発行するよう指示されると、アクセスキーを発行し、アクセスキー発行依頼データを送信したＩＳＰのサーバ装置２に対してアクセスキー付きのＵＲＬを送信する。前記ＩＳＰのサーバ装置２は情報要求を行ったユーザ端末３にアクセスキー付きのＵＲＬを送信する。
【００１７】
ユーザデータベース１０７には、ユーザデータが格納されている。ユーザデータは、ユーザがユーザ端末３からＩＳＰのサーバ装置２を介して送信したユーザ識別情報（以後ユーザＩＤという）及びＩＳＰがユーザに対して付与したＩＳＰ識別情報（以後ＩＳＰＩＤという）、ユーザが取得した情報を識別する情報識別情報（以後コンテンツＩＤという）、そして情報の課金情報を含む。ユーザデータベース１０７に格納された情報は、アクセスキー発行条件照合手段１０２におけるアクセスキー発行依頼データとの照合に用いられる。
【００１８】
情報取得条件データベース１０８は、情報取得条件を格納するデータベースである。ユーザデータベース１０７に情報取得条件データベース１０８を含めることも可能である。また、情報取得条件データベース１０８は分散していても構わない。
【００１９】
図５における手段について説明すると、アクセスキー発行条件記憶手段１０６は、アクセスキー発行条件照合手段１０２でアクセスキー発行依頼データと照合するアクセスキー発行条件を記憶する。アクセスキー発行条件は、ユーザデータベース１０７や情報取得条件データベース１０８に格納されている。アクセスキー発行条件設定手段１１１は、アクセスキー発行条件を設定し、更新し、削除する機能を備える。アクセスキー発行条件は情報別あるいはＩＳＰ別に設定することも可能である。アクセスキー発行条件順位付け手段１１２は、優先順位の高いアクセスキー発行条件からアクセスキー発行依頼データと照合させるため、アクセスキー発行条件に順位を付ける。アクセスキー発行条件が複数ある場合、アクセスキー発行依頼データを照合させる順序を指定し、又は同時に照合させることにより、適合しているかどうかを効率よく判断することが可能となる。
【００２０】
次に、図２を参照して本発明の処理手順の一例について説明する。まず、ＩＳＰの会員であるユーザがユーザ端末からＩＳＰのサーバ装置２を介して送信したアクセスキー発行依頼データを、アクセスキー発行依頼データ取得手段１０１により取得する２０１。また、アクセスキー発行条件取得手段１０５により、ユーザデータベース１０７からユーザＩＤ及びＩＳＰＩＤを取得する２０２。更に、アクセスキー発行条件取得手段１０５により、情報取得条件を取得する２０３。
【００２１】
続いて、アクセスキー発行条件照合手段１０２でアクセスキー発行依頼データを前記ユーザＩＤ及びＩＳＰＩＤと照合する２０４。アクセスキー発行依頼データが前記ユーザＩＤ及びＩＳＰＩＤと適合しなければ、処理を終了する２０８。若しくは、アクセスキー発行依頼データ取得手段１０５に戻ってもよい。
【００２２】
同様にアクセスキー発行依頼データも情報取得条件と照合する２０５。アクセスキー発行依頼データが情報取得条件と適合しなければ、処理を終了する２０８。適合すればアクセスキー発行指示手段１０９によりアクセスキー発行がアクセスキー発行手段１１０に指示され２０６、アクセスキー発行手段１１０によりアクセスキーが発行される２０７。アクセスキーはＵＲＬに付加された形でアクセスキー発行依頼データを送信したＩＳＰのサーバ装置２に送信され、前記ＩＳＰのサーバ装置２から前記ユーザ端末３に送信される。
【００２３】
情報取得条件の取得２０３は、前記ユーザＩＤ及びＩＳＰＩＤの取得２０２と同時に、若しくはアクセスキー発行依頼データの取得２０１と同時に行なってもよい。その場合はアクセスキー発行条件を取得した後にアクセスキー発行依頼データを前記ユーザＩＤ、ＩＳＰＩＤ、及び情報取得条件と照合し、適合すればアクセスキー発行指示手段１０９がアクセスキー発行手段１１０にアクセスキー発行を指示する。あるいはアクセスキー発行依頼データを前記ユーザＩＤ及びＩＳＰＩＤと照合し、適合した場合更に情報取得条件と照合してもよい。
【００２４】
更には、情報取得条件データベース１０８から情報取得条件を備えたユーザを抽出してアクセスキー発行条件記憶手段１０６に記憶しておき、アクセスキー発行依頼データを取得したときに前記ユーザＩＤ及びＩＳＰＩＤと照合し、適合すればアクセスキー発行指示手段１０９でアクセスキー発行を指示するという方法をとることも可能である。この場合、情報流通者からＩＳＰを介してユーザにアクセスキーを発行するだけでなく、予めアクセスキーの発行が可能である情報に関する情報を通知してアクセスを促すという効果も期待できる。
【実施例１】
【００２５】
図１に示す情報流者のサーバ装置１の構成例、図３に示すユーザデータベース１０７のデータ例、及び図４に示す情報取得条件データベース１０８のデータ例を主に参照して、本発明の実施例の一を説明する。情報が取得時間により課金される場合を例にとると、情報の課金情報は、たとえば情報取得時間である。本実施例では、情報が取得時間により課金される場合について説明する。
【００２６】
まず、情報流通者のサーバ装置１は、ユーザを会員に持つ複数のＩＳＰのサーバ装置２と接続している。情報流通者のサーバ装置１は、アクセスキー発行依頼データ取得手段１０１、アクセスキー発行条件取得手段１０５、ユーザ・ＩＳＰ照合手段１０３と情報取得条件照合手段１０４とからなるアクセスキー発行条件照合手段１０２、アクセスキー発行指示手段１０９、アクセスキー発行手段１１０、ユーザデータベース１０７、情報取得条件データベース１０８を備えている。
【００２７】
図３はユーザデータベース１０７のデータ構造の一例である。データにはユーザＩＤ、ＩＳＰＩＤ、コンテンツＩＤ、情報取得時間を含む。
【００２８】
ユーザＡのユーザＩＤをＵＡ、ユーザＢのユーザＩＤをＵＢ、ユーザＣのユーザＩＤをＵＣ、ＩＳＰ１のＩＳＰＩＤをＩ１、ＩＳＰ２のＩＳＰＩＤをＩ２とする。ユーザＡはＩＳＰ１の会員であり、コンテンツαを２００４年４月２日１６時３０分２２秒に取得している。ユーザＢはＩＳＰ２の会員であり、コンテンツαを２００４年３月２２日１６時３０分２２秒に、コンテンツβを２００４年３月２２日１７時３０分２２秒に、コンテンツγを２００４年３月２２日１８時３０分２２秒に取得している。ユーザＣはＩＳＰ２の会員であり、コンテンツαを２００４年４月１８日１１時１９分２０秒に、コンテンツδを２００４年４月１９日１１時１９分２０秒に取得している。
【００２９】
図４は情報取得条件データベース１０８の一例である。コンテンツαのコンテンツＩＤはＣαであり、情報取得条件は特に無く、ユーザＩＤとＩＳＰＩＤが認証されればアクセスキーを発行することが可能である。コンテンツβのコンテンツＩＤはＣβであり、情報取得条件はコンテンツαを取得することである。コンテンツγのコンテンツＩＤはＣγであり、情報取得条件はＩＳＰＩＤ＝Ｉ２、すなわちユーザがＩＳＰ２の会員であることである。コンテンツδのコンテンツＩＤはＣδであり、情報取得条件は今月αを購入、すなわちコンテンツδを取得する月にコンテンツαを取得していることである。
【００３０】
ユーザがコンテンツβ、コンテンツδ、コンテンツγの取得を要求した場合について、各々の処理手順を説明する。まず、ユーザＡがコンテンツβを取得しようとする場合を例にとり、説明する。まず、ユーザＡはコンテンツβを選択する。それからコンテンツβを取得するため、ＩＳＰ１に対して情報要求を行なう。ＩＳＰ１のサーバ装置はユーザからユーザＩＤ及びパスワードを受信し、ユーザ認証を行なう。ＩＳＰ１は前記ユーザがＩＳＰ１の会員であると判別した場合には、情報流通者のサーバ装置１にアクセスキー発行依頼データを送信する。アクセスキー発行依頼データは、ユーザＩＤ、ＩＳＰＩＤ、コンテンツＩＤを含む。ここでは、ユーザＩＤはＵＡ、ＩＳＰＩＤはＩ１、コンテンツＩＤはＣβである。
【００３１】
情報流通者のサーバ装置１のアクセスキー発行依頼データ取得手段１０１は、アクセスキー発行依頼データを取得する。また、アクセスキー発行条件取得手段１０５は、ユーザデータベース１０７からユーザデータを取得する。アクセスキー発行条件取得手段１０５により、アクセスキー発行依頼データに含まれるコンテンツＩＤ（Ｃβ）の情報取得条件（α購入後）も情報取得条件データベース１０８から取得される。
【００３２】
次に、アクセスキー発行条件照合手段１０２で、アクセスキー発行依頼データに含まれているユーザＩＤ（ＵＡ）及びＩＳＰＩＤ（Ｉ１）を、ユーザデータに含まれているユーザＩＤ及びＩＳＰＩＤと照合する。
【００３３】
照合の結果、ユーザＩＤ及びＩＳＰＩＤが適合しなかった場合、アクセスキーの発行を拒否する旨をＩＳＰ１に通知し、アクセスキー発行依頼データを再送信するか、又は処理を終了するかを問い合わせる。
【００３４】
同様に、前記ユーザデータを情報取得条件（α購入後）と照合し、適合しない場合、すなわちユーザＡがコンテンツαを購入していない場合には、アクセスキーの発行を拒否する旨をＩＳＰ１に通知する。
【００３５】
照合の結果、適合した場合には、アクセスキー発行指示手段１０９がユーザＡに対してコンテンツβへのアクセスキーを発行するようアクセスキー発行手段１１０に指示する。アクセスキー発行を指示されると、アクセスキー発行手段１１０はアクセスキーを発行し、ＩＳＰ１を介してユーザＡにコンテンツβへのアクセスキー付きＵＲＬが送信される。
【００３６】
次に、ユーザＡがコンテンツγを取得しようとする場合について説明する。まず、ユーザＡはコンテンツγを選択する。それからコンテンツγを取得するため、ＩＳＰ１に対して情報要求を行なう。ＩＳＰ１のサーバ装置はユーザからユーザＩＤ及びパスワードを受信し、ユーザ認証を行なう。ＩＳＰ１は前記ユーザがＩＳＰ１の会員であると判別した場合には、情報流通者のサーバ装置１にアクセスキー発行依頼データを送信する。アクセスキー発行依頼データは、ユーザＩＤ（ＵＡ）、ＩＳＰＩＤ（Ｉ１）、コンテンツＩＤ（Ｃγ）を含む。
【００３７】
アクセスキー発行依頼データ取得手段１０１は、アクセスキー発行依頼データを取得する。また、アクセスキー発行条件取得手段１０５は、ユーザデータベース１０７からユーザデータを取得する。更にアクセスキー発行条件取得手段により、アクセスキー発行依頼データに含まれるコンテンツＩＤ（Ｃγ）の情報取得条件（ＩＳＰＩＤ＝Ｉ２）が情報取得条件データベースから取得される。
【００３８】
次に、アクセスキー発行条件照合手段１０２で、アクセスキー発行依頼データに含まれているユーザＩＤ（ＵＡ）及びＩＳＰＩＤ（Ｉ１）を、ユーザデータに含まれているユーザＩＤ及びＩＳＰＩＤと照合する。
【００３９】
照合の結果、ユーザＩＤ及びＩＳＰＩＤが適合しなかった場合、アクセスキーの発行を拒否する旨をＩＳＰ１に通知し、アクセスキー発行依頼データを再送信するか、又は処理を終了するかを問い合わせる。
【００４０】
適合した場合は前記ユーザデータを情報取得条件（ＩＳＰＩＤ＝Ｉ２）と照合する。アクセスキー発行依頼データに含まれるＩＳＰＩＤはＩ１であり、情報取得条件（ＩＳＰＩＤ＝Ｉ２）とは適合しない。したがって情報流通者のサーバ装置はアクセスキーの発行を拒否する旨をＩＳＰ１に通知し、処理を終了する。
【００４１】
次に、ユーザＡ及びユーザＢがコンテンツδを２００４年４月に取得しようとする場合について説明する。まず、ユーザＡの場合について述べる。ユーザＡはコンテンツδを選択する。それからコンテンツδを取得するため、ＩＳＰ１に対して情報要求を行なう。ＩＳＰ１のサーバ装置はユーザからユーザＩＤ及びパスワードを受信し、ユーザ認証を行なう。ＩＳＰ１は前記ユーザがＩＳＰ１の会員であると判別した場合には、情報流通者のサーバ装置１にアクセスキー発行依頼データを送信する。アクセスキー発行依頼データは、ユーザＩＤ（ＵＡ）、ＩＳＰＩＤ（Ｉ１）、コンテンツＩＤ（Ｃδ）を含む。
【００４２】
アクセスキー発行依頼データ取得手段１０１は、アクセスキー発行依頼データを取得する。また、アクセスキー発行条件取得手段１０５は、ユーザデータベース１０７からユーザデータを取得し、アクセスキー発行条件取得手段１０５は、情報取得条件データベース１０８からアクセスキー発行依頼データに含まれるコンテンツＩＤ（Ｃδ）の情報取得条件（今月αを取得）を取得する。
【００４３】
その後、アクセスキー発行条件照合手段１０２で、アクセスキー発行依頼データに含まれているユーザＩＤ（ＵＡ）及びＩＳＰＩＤ（Ｉ１）を、ユーザデータに含まれているユーザＩＤ及びＩＳＰＩＤと照合する。
【００４４】
照合の結果、ユーザＩＤ及びＩＳＰＩＤが適合しなかった場合、アクセスキーの発行を拒否する旨をＩＳＰ１に通知し、アクセスキー発行依頼データを再送信するか、又は処理を終了するかを問い合わせる。
【００４５】
照合の結果、ユーザＩＤ及びＩＳＰＩＤが適合した場合は、前記ユーザデータを情報取得条件（今月αを取得）と照合する。すなわち、ユーザデータの情報取得時間によると、ユーザＡはコンテンツαを２００４年４月２日１６時３０分２２秒に取得している。ユーザＡがコンテンツδの取得を要求したのは２００４年４月であり、コンテンツαを同じ４月に取得している。したがって、アクセスキー発行条件に適合しているといえる。アクセスキー発行指示手段１０９はユーザＡに対してコンテンツδへのアクセスキーを発行するようアクセスキー発行手段１１０に指示する。
【００４６】
次に、ユーザＢの場合について説明する。ユーザＢはコンテンツδを選択する。それからコンテンツδを取得するため、ＩＳＰ２に対して情報要求を行なう。ＩＳＰ２のサーバ装置はユーザからユーザＩＤ及びパスワードを受信し、ユーザ認証を行なう。ＩＳＰ２はユーザＢがＩＳＰ２の会員であると判別して、情報流通者のサーバ装置１にユーザＩＤ（ＵＢ）、ＩＳＰＩＤ（Ｉ２）、コンテンツＩＤ（Ｃδ）を含むアクセスキー発行依頼データを送信する。
【００４７】
アクセスキー発行依頼データ取得手段１０１は、アクセスキー発行依頼データを取得する。アクセスキー発行条件取得手段１０５は、ユーザデータベース１０７からユーザデータを取得する。アクセスキー発行条件取得手段１０５は、情報取得条件データベース１０８からアクセスキー発行依頼データに含まれるコンテンツＩＤ（Ｃδ）の情報取得条件（今月αを取得）を取得する。
【００４８】
次に、アクセスキー発行条件照合手段１０２で、アクセスキー発行依頼データに含まれているユーザＩＤ（ＵＢ）及びＩＳＰＩＤ（Ｉ２）を、ユーザデータに含まれているユーザＩＤ及びＩＳＰＩＤと照合する。
【００４９】
照合の結果、ユーザＩＤ及びＩＳＰＩＤが適合したので、前記ユーザデータを情報取得条件（今月αを取得）と照合する。すなわち、ユーザデータの情報取得時間によると、ユーザＢはコンテンツαを２００４年３月２２日１６時３０分２２秒に取得している。ユーザＢがコンテンツδの取得を要求したのは２００４年４月であり、コンテンツαは先月である３月に取得している。したがって、アクセスキー発行条件に適合していないことになり、アクセスキーの発行を拒否する旨がＩＳＰ２に通知される。
【実施例２】
【００５０】
本発明の実施例２を図５に基づき、説明する。情報流通者のサーバ装置１は、図１の構成に加え、ユーザデータベース１０７と情報取得条件データベース１０８とを含むアクセスキー発行条件記憶手段１０６、アクセスキー発行条件設定手段１１１、及びアクセスキー発行条件順位付け手段１１２を備えている。情報流通者は、情報提供者が提供した情報をＩＳＰを介してユーザに提供する。実施例２は、その際に情報を取得することのできるユーザを限定する条件を設定し、アクセスキー発行条件記憶手段１０６に記憶させ、複数のアクセスキー発行条件を順位付けしてアクセスキー発行依頼データと照合する機能を有する。情報提供者から提示された情報取得条件や、情報流通者が規定した情報取得条件は、アクセスキー発行条件設定手段１１１により、情報取得条件データベース１０８に格納される。アクセスキー発行条件順位付け手段１１２は、アクセスキー発行条件記憶手段１０６に記憶されたアクセスキー発行条件を、一情報に対して複数存在するかどうかを確認し、複数存在する場合に順位付けを行なう。順位付けは予め優先度を規定しておき、自動的に行なっても、都度設定してもよい。
【００５１】
「１ヶ月以内に５点以上の情報を取得しているユーザであり、且つ複数候補の情報のうち１点に限り、取得することができる。」というアクセスキー発行条件を設定する場合の手順について説明する。まず、前記アクセスキー発行条件を、アクセスキー発行条件設定手段１１１を用いて情報取得条件データベース１０８に格納する。例えば図６のように情報別に、アクセスキー発行条件を分割して記憶させる。
【００５２】
次に、アクセスキー発行条件順位付け手段１１２について説明する。順位付けは、自由に行なうことができる。実施例２では、各情報とも１番目を「１ヶ月以内に５情報以上取得後」とし、２番目を「コンテンツαα、ββ、δδの内、いずれか１点のみ」とし、アクセスキー発行条件と共にアクセスキー発行条件記憶手段１０６に記憶させる。但し、アクセスキー発行条件が情報流通者のサーバ装置１外部に記憶されている場合には、アクセスキー発行条件取得手段１０５によりアクセスキー発行条件を取得した後に、アクセスキー発行条件順位付け手段１１２で順位付けしても構わない。
【００５３】
アクセスキー発行依頼データ取得手段１０５がコンテンツββへのアクセスキー発行依頼データを取得した場合の流れについて説明する。アクセスキー発行条件記憶手段１０６はユーザデータベース１０７から前記ユーザのユーザデータを、また情報取得条件データベース１０８からコンテンツββの情報取得条件を取得する。アクセスキー発行条件照合手段１０２のユーザ・ＩＳＰ照合手段１０３でユーザＩＤとＩＳＰＩＤを照合し、適合したら情報取得条件照合手段１０４で、アクセスキー発行条件順位付け手段１１２により順位付けした順番で前記ユーザデータと照合していく。すなわち、前記ユーザの情報取得時間が１ヶ月以内である情報を５点以上取得しているかどうかを照合する。
【００５４】
適合しなかった場合は、ＩＳＰのサーバ装置１を介してユーザ端末３にアクセスキー発行を拒否する旨を通知し、処理を終了する。
【００５５】
適合した場合は、次に優先順位の高いアクセスキー発行条件と照合する。すなわち、コンテンツαα、ββ、γγの内既に取得している情報があるかどうかを照合する。いずれかの情報を取得していた場合には、ＩＳＰのサーバ装置１を介してユーザ端末３にアクセスキー発行を拒否する旨を通知し、処理を終了する。いずれの情報も取得していなかった場合は、コンテンツββへのアクセスキー発行条件に適合しているものとみなし、アクセスキー発行指示手段１０９がアクセスキー発行手段１１０にアクセスキー発行を指示する。
【図面の簡単な説明】
【００５６】
【図１】本発明における有償情報流通者のサーバ装置の基本的な構成を示す図である。
【図２】図１に基づいて行なわれる処理の流れを示す図である。
【図３】ユーザデータベースのデータ例を示す図である。
【図４】情報取得条件データベースのデータ例を示す図である。
【図５】アクセスキー発行条件記憶手段、アクセスキー発行条件設定手段、及びアクセスキー発行条件順位付け手段を備えた情報流通者のサーバ装置の構成である。
【図６】実施例２においてアクセスキー発行条件設定手段により設定したアクセスキー発行条件である。
【符号の説明】
【００５７】
１  情報流通者のサーバ装置
２  ISPのサーバ装置
３  ユーザ端末
１０１  アクセスキー発行依頼データ取得手段
１０２  アクセスキー発行条件照合手段
１０３  ユーザ・ＩＳＰ照合手段
１０４  情報取得条件照合手段
１０５  アクセスキー発行条件取得手段
１０６  アクセスキー発行条件記憶手段
１０７  ユーザデータベース
１０８  情報取得条件データベース
１０９  アクセスキー発行指示手段
１１０  アクセスキー発行手段
１１１  アクセスキー発行条件設定手段
１１２  アクセスキー発行条件順位付け手段
２０１  アクセスキー発行依頼データ取得
２０２  ユーザデータ取得
２０３  情報取得条件取得
２０４  ユーザＩＤ・ＩＳＰＩＤ照合
２０５  情報取得条件照合
２０６  アクセスキー発行指示
２０７  アクセスキー発行
２０８  アクセスキー非発行
【図１】
2006039717.tif 000003
【図２】
2006039717.tif 000004
【図３】
2006039717.tif 000005
【図４】
2006039717.tif 000006
【図５】
2006039717.tif 000007
【図６】
2006039717.tif 000008